(57)【要約】【課題】本発明はロータリー式のように連続的に除湿動作を行うことができ、かつ方形のハニカムブロックも使用可能な吸着式除湿機を提供しようとするものである。【解決手段】本発明は以上のような課題を解決するため、それぞれ交互に脱着ゾーン１４と吸着ゾーン１５の間を交互に移動する２つのハニカムブロック１，２を設け、それぞれのハニカムブロック１，２は互いに端部付近が接して気密を保持するようにしたものである。これによってハニカムブロック１が脱着中の時にはハニカムブロック２が吸着中となり、吸着が進んだ時点で両ハニカムブロックの位置を入れ替えるようにし、連続的に除湿動作を行えるようにした。【選択図】  図１
2006305497.tif 000002
【特許請求の範囲】
【請求項１】
それぞれ交互に２つのゾーン間を移動する２つのハニカムブロックを設け、一方のゾーンを吸着ゾーンとし他方のゾーンを脱着ゾーンとした吸着式除湿機。
【請求項２】
２つのハニカムブロックは互いに連動するようにした請求項１記載の吸着式除湿機。
【請求項３】
２つのハニカムブロックは何れのゾーンに位置しても互いに一部が接しているようにした請求項１記載の吸着式除湿機。
【発明の詳細な説明】
【技術分野】
【０００１】
本発明は、たとえばシリカゲルやゼオライトなどの湿気吸着剤を用いた吸着式除湿機に関するもので、特に小型可能なものを提供するものである。
【背景技術】
【０００２】
吸着式除湿機は湿気吸着剤を用いることによって乾燥空気をつくるもので、冷凍式の除湿機と比較して低露点の空気をつくることができる。また湿気吸着剤の脱着に内燃機関などの廃熱を用いることができ、このような場合には省エネルギー効果が高くなるため急速に普及している。
【０００３】
現在普及している一般的な吸着式除湿機は、特許文献１に示すようなロータ式のものと特許文献２に示すようなバッチ式のものとがある。つまりロータ式のものは湿気吸着剤を担持したハニカム状ロータを吸着ゾーンと脱着ゾーンとに分割し、ロータを回転させながら吸着ゾーンに被処理空気を流し、脱着ゾーンに高温の脱着空気を流すことによって連続的に除湿を行うことができる。
【０００４】
バッチ式のものは、湿気吸着剤を担持したハニカムブロックに被処理空気を流し乾燥空気をつくり、湿気吸着剤が十分に湿気を吸着すると、そのハニカムブロックに高温の脱着空気を流すという交互動作を行うものである。
【特許文献１】特開２００４−２６７９０２号公報
【特許文献２】特開２００４−３５３８８７号公報
【発明の開示】
【発明が解決しようとする課題】
【０００５】
特許文献１に開示されたロータ式のものは連続的に動作する点や、エネルギー効率が高い点やあるいは乾燥空気の露点を低くできる利点がある。しかし、円板状のロータを有するため、一般的な方形のケースに収める場合には方形中に円形の物を収納することになり、無駄な部分ができ小型化が困難であるという問題がある。
【０００６】
特許文献２に開示されたバッチ式のものは、ハニカムブロックを方形にすることができるため、方形の容器にも無駄なく収納可能であるが、吸着と脱着とを交互に行うためハニカムブロックを収納する部分や空気通路の熱容量によってエネルギーの無駄を生じ、また乾燥空気の露点を下げることが困難である。
【０００７】
本発明はロータリー式のように連続的に除湿動作を行うことができ、かつ方形のハニカムブロックも使用可能な吸着式除湿機を提供しようとするものである。
【課題を解決するための手段】
【０００８】
本件発明は以上のような課題を解決するため、それぞれ交互に２つのゾーン間を移動する２つのハニカムブロックを設け、一方のゾーンを吸着ゾーンとし他方のゾーンを脱着ゾーンとした。
【発明の効果】
【０００９】
本発明の吸着式除湿機は上記の如く構成したので、脱着ゾーンに脱着ゾーン用温風を流し、吸着ゾーンに被処理空気を流しながら２つのハニカムブロックを交互に脱着ゾーンと吸着ゾーンとの間を移動させることで連続的に除湿を行うことができる。
【００１０】
また除湿素子として方形のハニカムブロックを用いることができるため、方形のケースにも無駄なく収納できる吸着式除湿機を提供することができる。さらに、２つのハニカムブロックの移動は間歇的であるため、この移動のためのモータなどの駆動源は運転時間が短く、長寿命な吸着式除湿機を提供することができる。
【発明を実施するための最良の形態】
【００１１】
本発明の請求項１に記載の発明は、脱着ゾーンに脱着ゾーン用温風を流し、吸着ゾーンに被処理空気を流しながら２つのハニカムブロックを交互に脱着ゾーンと吸着ゾーンとの間を移動させるようにしたものであるため、２つのハニカムブロックの一方が吸着工程にある時に他方のハニカムブロックを脱着工程とすることができるという作用を有する。
【実施例１】
【００１２】
以下本発明の吸着式除湿機の実施例について図に沿って詳細に説明する。ハニカムブロック１，２は、それぞれセラミック繊維紙やガラス繊維紙などの不燃性の紙をハニカム（蜂の巣）状に形成し、それにシリカゲルやゼオライトなどの湿気吸着剤を担持したものである。
【００１３】
またハニカムブロック１，２は、図３に示すようにそれぞれ両側面に一対の突起３，４を有している。この突起３，４がケース側板５に設けた溝６に嵌ってハニカムブロック１，２をガイドし、これによってハニカムブロック１，２は上下にスライド可能となる。
【００１４】
図１、図２に示すようにハニカムブロック１，２はそれぞれ上下端にロープ７，８が取り付けられ、ロープ７，８はそれぞれ滑車９，１０に掛けられている。これによって、ハニカムブロック１，２はそれぞれ交互に上下するようになる。
【００１５】
ブロア１１は例えば外気をヒータ１２へ送り、ヒータ１２で加熱された空気をハニカムブロック１，２に送るものである。ブロア１３は被処理空気をハニカムブロック１，２に送るものである。つまりヒータ１２のある空気通路は脱着ゾーン１４を構成し、もう一方の通路は吸着ゾーン１５を構成する。
【００１６】
またハニカムブロック１，２は図１及び図２に示すように、何れが上になっても、あるいは下になっても、それぞれの端部が少し重なるようにする。そしてハニカムブロック１，２は脱着ゾーン１４に入った時には上端が脱着ゾーン１４の天井に接し、吸着ゾーン１５に入った時には下端が吸着ゾーン１５の床に接する。さらにハニカムブロック１，２は脱着ゾーン１４と吸着ゾーン１５とを隔てる壁の端面にも接している。
【００１７】
これによってハニカムブロック１，２が何れのゾーンに位置していても各ゾーンを流れる空気はゾーン間で漏れることはない。
【００１８】
本発明の吸着式除湿機は以上の構成よりなり、以下その動作について説明する。先ず、図１に示すようにハニカムブロック１をヒータ１２に対面するように脱着ゾーン１４に位置させる。するとハニカムブロック２は吸着ゾーン１５に位置することになる。
【００１９】
この状態でブロア１１，１３を動作させ、ヒータ１２に通電すると被処理空気がブロア１３によって吸着ゾーンに流れ、ハニカムブロック２によって乾燥空気となり、供給先（図示せず）へ送られる。
【００２０】
ブロア１１によって送られた空気はヒータ１２で加熱され、脱着ゾーン１４を通ってハニカムブロック１に吸着された湿気を脱着し、多湿空気となって排気される。
【００２１】
例えば３分間この状態を維持し、ハニカムブロック２が十分に湿気を吸着すると、図２に示す状態になるようにハニカムブロック１とハニカムブロック２の位置を入れ替える。この動作は滑車９或いは滑車１０をモータ（図示せず）等によって駆動して行う。このハニカムブロック１とハニカムブロック２の位置を入れ替える操作中は吸着ゾーン１５を通過する空気がハニカムブロック１，２を通過しないままに供給先へ送られることになるが、この操作は１秒以下で行うようにすれば、実質的な問題はない。
【００２２】
図２の状態になると以上の説明と逆になり、ハニカムブロック２が脱着ゾーン１４に位置し、ハニカムブロック１が吸着ゾーン１５に位置することになる。この状態でハニカムブロック１が被処理空気を乾燥させ、ハニカムブロック２は吸着した湿気が脱着される。
【００２３】
以上のように本発明のものは極めて小さな容積で除湿動作を連続的に行うことができる。また吸着ゾーン１５と脱着ゾーン１４とは互いに独立して構成されるために、ロータ式の吸着式除湿機のように処理された空気の露点を極めて低い状態にすることができる。
【産業上の利用可能性】
【００２４】
本発明は、小型で連続的に動作することができ、さらに高性能な吸着式除湿機を提供する。
【図面の簡単な説明】
【００２５】
【図１】本発明の吸着式除湿機の実施例を示す断面図である。
【図２】本発明の吸着式除湿機の実施例を示す断面図である。
【図３】本発明の吸着式除湿機の部分斜視図である。
【符号の説明】
【００２６】
１，２    ハニカムブロック
３，４    突起
５    ケース側板
６    溝
７，８    ロープ
９，１０    滑車
１１，１３    ブロア
１２    ヒータ
１４    脱着ゾーン
１５    吸着ゾーン
【図１】
2006305497.tif 000003
【図２】
2006305497.tif 000004
【図３】
2006305497.tif 000005